(57)【要約】【課題】  安全装置のない通常ライターを着火できないようにロックするためのライターのロック装置を提供する。【解決手段】  本発明に係るライターのロック装置１は、ライター２の着火部２２の外周面全体を周囲から取り囲んだ状態で当該着火部２２に装着可能な筒状のキャップ本体３と、キャップ本体３の内部に収容された押圧プレート４と、キャップ本体３の外周壁部３１を貫通した状態で当該外周壁部３１に螺合されたネジ軸体５とを備えており、キャップ本体３の内部に位置するネジ軸体５の内端が、押圧プレート４に回動自在でかつ軸方向移動不能に取り付けられている。【選択図】図１
2012057925.tif 000002
【特許請求の範囲】
【請求項１】
ライターの着火部の外周面全体を周囲から取り囲んだ状態で当該着火部に装着可能な筒状のキャップ本体と、
前記キャップ本体の内部に収容された押圧プレートと、
前記キャップ本体の外周壁部を貫通した状態で当該外周壁部に螺合されたネジ軸体とを備えており、
前記キャップ本体の内部に位置する前記ネジ軸体の内端が、前記押圧プレートに回動自在でかつ軸方向移動不能に取り付けられていることを特徴とするライターのロック装置。
【請求項２】
前記キャップ本体の外部に露出する前記ネジ軸体の外端に着脱自在に結合可能な専用の結合部を有する操作つまみを、更に備えている請求項１に記載のライターのロック装置。
【請求項３】
前記押圧プレートは、前記着火部の湾曲面にほぼ対応する曲率で湾曲しており、凹み側が前記湾曲面に対面するように前記キャップ本体の内部に配置された湾曲板よりなる請求項１又は２に記載のライターのロック装置。
【請求項４】
前記押圧プレートは、前記着火部に設けられた火炎調節レバーが入り込む抜け止めスリットを有する請求項３に記載のライターのロック装置。
【請求項５】
前記キャップ本体の外周壁部における前記押圧プレートとは反対側の部分が、前記着火部の湾曲面を左右両側から挟み込んだ状態で接触するほぼＶ字状の当接部分となっている請求項３又は４に記載のライターのロック装置。
【発明の詳細な説明】
【技術分野】
【０００１】  本発明は、安全装置のない既存のライターを着火できないようにロックするためのライターのロック装置に関する。
【背景技術】
【０００２】  昨今、子供のライター遊びが原因とみられる火災が相次いで発生している。そこで、米国や欧州連合（ＥＵ）では、簡単に火が付かないよう２つ以上の操作をしないと点火しなかったり、点火ボタンを重くしたりすることが既に義務付けられておいる。
我が国においても、２重操作機構を設けたり点火ボタンを重くしたりすることで、簡単に火が付かなくする安全装置付きのライターが市販されている。
【発明の概要】
【発明が解決しようとする課題】
【０００３】  しかし、一般の家庭内には、例えば１００円ライターのような安全装置のない通常のライター（以下、「通常ライター」という。）が散在していることがあるので、安全装置付きのライター（以下、「安全ライター」という。）をユーザーが導入したとしても、子供が通常ライターを見つけた場合には、ライター遊びを防止することができない。【０００４】  また、２重操作機構や点火ボタンを重くしたりする安全ライターでは、好奇心旺盛な子供の場合には着火できることがあるし、通常ライターに比べて高価であることから、安全ライターの導入がなかなか進まないという問題もある。
本発明は、かかる従来の問題点に鑑み、安全装置のない通常ライターを着火できないようにロックするためのライターのロック装置を提供することを目的とする。
【課題を解決するための手段】
【０００５】  本発明のライターのロック装置は、ライターの着火部の外周面全体を周囲から取り囲んだ状態で当該着火部に装着可能な筒状のキャップ本体と、前記キャップ本体の内部に収容された押圧プレートと、前記キャップ本体の外周壁部を貫通した状態で当該外周壁部に螺合されたネジ軸体とを備えており、前記キャップ本体の内部に位置する前記ネジ軸体の内端が、前記押圧プレートに回動自在でかつ軸方向移動不能に取り付けられていることを特徴とする。【０００６】  本発明のロック装置を用いて、ライターの着火部をロックするには、キャップ本体をライターの着火部に装着したあと、キャップ本体の外部に露出するネジ軸体の外端を締め付け方向に回動すればよい。すると、キャップ本体の内部に収容された押圧プレートが着火部の外周面を押圧し、キャップ本体が当該着火部に固定されてロック状態になる。
逆に、ロックを解除してライターを元に戻すには、ネジ軸体の外端を反締め付け方向に回動して押圧プレートの押圧を解除し、キャップ本体を着火部から取り外せばよい。【０００７】  このように、本発明のロック装置によれば、キャップ本体をライターの着火部に装着してネジ軸体を締め付けるだけで、その着火部を簡単にロックできるので、安全装置のない通常ライターの場合でも、子供によるライター遊びを有効に防止することができる。【０００８】  本発明のロック装置において、前記キャップ本体の外部に露出する前記ネジ軸体の外端に着脱自在に結合可能な専用の結合部を有する操作つまみを、更に備えていることが好ましい。
この場合、専用の結合部を有する操作つまみを使用しないとネジ軸体を回動操作できなくなるので、子供がロック装置のロックを解除してライター遊びを行うのを、より確実に防止できるようになる。【０００９】  また、本発明のロック装置において、前記押圧プレートは、前記着火部の湾曲面にほぼ対応する曲率で湾曲しており、凹み側が前記湾曲面に対面するように前記キャップ本体の内部に配置された湾曲板よりなることが好ましい。
この場合、上記湾曲板よりなる押圧プレートの凹み側が着火部の湾曲面を押圧するので、押圧プレートが着火部の平面部分を押圧する場合に比べて、より大きな力で着火部を押圧することができ、ロック装置によるロックがより確実になる。【００１０】  本発明のロック装置において、前記押圧プレートとして、前記着火部に設けられた火炎調節レバーが入り込む大きさの抜け止めスリットを有するものを採用すれば、火炎調節レバーを抜け止めスリットに入り込ませた状態で、押圧プレートを着火部に押圧させることができる。
従って、ネジ軸体による締め付け力が比較的弱まった場合でも、火炎調節レバーが押圧プレートに引っ掛かってキャップ本体を着火部から取り外せなくなり、ロックがより確実になる。【００１１】  更に、本発明のロック装置において、前記キャップ本体の外周壁部における前記押圧プレートとは反対側の部分が、前記着火部の湾曲面を左右両側から挟み込んだ状態で接触するほぼＶ字状の当接部分となっていることが好ましい。
この場合、ライターの種類によって着火部の湾曲面の曲率が変わっても、キャップ本体の内周面で着火部を確実に押圧することができるので、種々のライターに対応できるという利点がある。
【発明の効果】
【００１２】  本発明によれば、安全装置のない通常ライターを着火できないようにロックすることができるので、通常ライターの場合でも子供によるライター遊びを有効に防止でき、ライター遊びによる火災を未然に防止することができる。
【図面の簡単な説明】
【００１３】
【図１】  本発明の実施形態に係るライターのロック装置の側面断面図である。
【図２】  本発明の実施形態に係るライターのロック装置の平面断面図である。
【発明を実施するための形態】
【００１４】  以下、図面を参照しつつ、本発明に係るライターのロック装置の実施形態を説明する。
〔ロック装置の構成〕
図１は、本発明の実施形態に係るライターのロック装置の側面断面図であり、図２は、そのロック装置１の平面断面図である。
なお、本実施形態において、図１お図２における符号Ａの方向（ライター２の幅方向）を単に「幅方向」という。
【００１５】  図１に示すように、本実施形態のロック装置１は、ライター２の上部の着火部２２に装着可能な筒状のキャップ本体３と、このキャップ本体３の内部に収容された押圧プレート４と、キャップ本体４の外周壁部３１を貫通するネジ軸体５と、このネジ軸体５を回動操作するための専用の操作つまみ６とを備えている。
【００１６】  本実施形態では、ロック装置１によるロック対象であるライター２として、安全装置のない通常ライターを想定している。このライター２は、燃料が収容された上下方向に長い有底筒状のタンク部２１と、このタンク部２１の上部に取り付けられた着火部２２とからなり、着火部２２には着火レバー２３と火炎調節レバー２４とが設けられている。
なお、本実施形態のロック装置１により、安全ライターの着火部をロックすることを妨げるものではない。
【００１７】  キャップ本体３は、硬質プラスチック又は鋳鋼製の有底筒体よりなり、ライター２の着火部２２よりも一回り大きい断面ほぼ楕円形状の外周壁部３１と、この外周壁部３１の上端部を閉塞する天板部３２とを一体に有している。
従って、外周壁部３１の下端開口部に向かってライター２の着火部２２を挿通すると、ライター２の着火部２２の外周面全体を周囲から取り囲んだ状態で、当該着火部２２にキャップ本体３を装着できるようになっている。
【００１８】  図２に示すように、押圧プレート４は、着火部２２の湾曲面２２Ａにほぼ対応する曲率で湾曲した金属製の湾曲板よりなる。かかる湾曲板よりなる押圧プレート４は、その凹み側が着火部２２の湾曲面２２Ａに対面するように、キャップ本体３の内部における幅方向一端部よりに偏った位置に配置されている。
また、押圧プレート４の上下方向ほぼ中央部には、着火部２２に設けられた火炎調節レバー２４が入り込む抜け止めスリット４１が形成されている（図１参照）。
【００１９】  ネジ軸体５は、頭部なしでかつ軸部のみの金属製のネジ部材よりなる。このネジ軸体５は、キャップ本体３の外周壁部３１の幅方向一端部に形成されたネジ孔に貫通状に螺合されており、その軸心方向はライター２の幅方向と一致する方向に向けられている。
また、キャップ本体３の内部に位置するネジ軸体５の内端は、押圧プレート４の中央部に回動自在でかつ軸方向移動不能となるように取り付けられている。従って、ネジ軸体５をその軸心回りに回動させると、押圧プレート４がキャップ本体３の内部で幅方向に移動する。
【００２０】  キャップ本体の外部に露出するネジ軸体５の外端には、後述する操作つまみ６の結合部６２がちょうど嵌合する嵌合孔が形成されている。
操作つまみ６は、ほぼ四角形の板状のつまみ部６１と、このつまみ部６１の端縁から突設した結合部６１とを備えている。この結合部６１は、ネジ軸体５の外端に形成した嵌合孔（例えば六角孔）の孔断面に対応する断面形状を有しており、ネジ軸体５の外端に着脱自在に結合可能な専用の結合部となっている。
【００２１】  〔ロック装置の使用方法と作用効果〕
上記構成に係るロック装置１を用いて、ライター２の着火部２２を着火操作不能にロックするには、図１に示すように、キャップ本体３をライター２の着火部２２に装着したあと、キャップ本体３の外部に露出するネジ軸体５の外端に操作つまみ６を結合し、この操作つまみ６によってネジ軸体５を締め付け方向に回動すればよい。
すると、キャップ本体３の内部に収容された押圧プレート４が着火部２２の外周面を幅方向に押圧し、キャップ本体３が当該着火部２２に固定されてロック状態になる。
【００２２】  なお、ロック装置１によるロックを解除してライター２を元に戻すには、操作つまみ６によりネジ軸体５の外端を反締め付け方向に回動して押圧プレート４の押圧を解除してから、キャップ本体３を着火部２２から取り外せばよい。
このように、本実施形態のロック装置１によれば、キャップ本体３をライター２の着火部２２に装着してネジ軸体５を締め付けるだけで、その着火部２２を簡単にロックできるので、安全装置のない通常ライターの場合でも、子供によるライター遊びを有効に防止することができる。
【００２３】  また、本実施形態のロック装置１によれば、専用の結合部６２を有する操作つまみ６を使用しないとネジ軸体５を回動操作できないので、子供がロック装置１のロックを解除してライター遊びを行うのを、より確実に防止することができる。
更に、本実施形態のロック装置１によれば、ネジ軸体５を締め付けると、湾曲板よりなる押圧プレート４の凹み側が着火部２２の湾曲面２２Ａを押圧する。このため、例えば押圧プレート４で着火部２２の平面部分２２Ｂ（図２参照）を押圧する場合に比べて、より大きな力で着火部２２を押圧することができる。
【００２４】  また、本発明のロック装置１によれば、火炎調節レバー２４を抜け止めスリット４１に入り込ませた状態で、押圧プレート４を着火部２２に押圧させることができるので、ネジ軸体５による締め付け力が比較的弱まった場合でも、火炎調節レバー２４が押圧プレート４に引っ掛かってキャップ本体３を着火部２２から取り外せなくなる。
従って、抜け止めスリット４１が形成されていない場合比べて、ロック装置１によるロックがより確実になる。
【００２５】  なお、図２に示すように、本実施形態のロック装置１では、キャップ本体３の外周壁部３１における押圧プレート４とは反対側の部分が、着火部２２の湾曲面２２Ａを左右両側から挟み込んだ状態で接触するほぼＶ字状の当接部分となっている。
このため、ライター２の種類によって着火部２２の湾曲面２２Ａの曲率が変わっても、キャップ本体３の内周面で着火部２２を確実に押圧することができ、種々のライター２に対応できるという利点がある。
【００２６】  なお、本発明は上記実施形態に限定されるものではない。
例えば、上記実施形態では、キャップ本体３が天板部３２を有するが、ライター２の着火部２２を操作不能に被覆できる形状を維持できるであれば、当該天板部３２を有しない上端開放状のものであってもよい。
【符号の説明】
【００２７】  １：ロック装置    ２ライター    ３：キャップ本体    ４：押圧プレート
５：ネジ軸体    ６：操作つまみ    ２２：着火部    ２４：火炎操作レバー
３１：外周壁部    ４１：抜け止めスリット    ６２：結合部
【図１】
2012057925.tif 000003
【図２】
2012057925.tif 000004